(57)【特許請求の範囲】
【請求項１】
細長板片(11)、(21)の一端にアダプタ軸嵌合孔(12)、(22)を有する第１拡大部(13)、(23)が形成され他端にはスパナ口(15)、(25)を有する第２拡大部(16)、(26)が内向に傾斜された短い屈曲頸部(14)、(24)を介して形成されている一対の片側部材(1) 、(2) と、断面形状が略Ｉ形でその上下端に形成されている滑り止め溝(32)を備えた鍔部により片側部材(1) 、(2) の上下縁を隠蔽した状態としてこの片側部材(1) 、(2) 間に介在されて前記した屈曲頸部(14)、(24)とともに一端の第１拡大部(13)、(23)間にアダプタ組込用空間を形成するスペーサ(3) とを、前記第２拡大部(16)、(26)同志が当接され、且つ、前記アダプタ組込用空間には、歯車部(51)の両端に前記アダプタ軸嵌合孔(12)、(22)に軸支される支持軸部(52)、(53)を介してねじ回し部(54)、(55)を突出させたラチェット式アダプタ(5) とその回転方向を切替える操作爪片(6) とが介入された状態として重ね合わせて複数の連結ピン(4) により連結して、両細長板片(11)、(21)とその上下縁を滑り止め溝(32)を備えた鍔部で隠蔽しているスペーサ(3) とよりなる把持部の両側に異種のねじ回し部を形成したことを特徴とするレンチ。
【請求項２】
一方の片側部材(1) の第２拡大部(16)に形成されているスパナ口(15)と、他方の片側部材(2) の第２拡大部(26)に形成されているスパナ口(25)との開口幅を異ならせてある請求項１に記載のレンチ。
【発明の詳細な説明】
【０００１】
【発明の属する技術分野】
本発明は、建物の配管工事などにおいて、吊りバンドや立てバンド、フランジ配管等の異径のねじが用いられる現場でのねじ締付作業に使用するスパナに関するものである。
【０００２】
【従来の技術】
建物の配管工事などにおいて、異径のねじが用いられる現場でのねじ締付作業に使用するスパナとしては、実公平７ー１９７１５号公報に見られるように、把持部の一端にラチェット式アダプタが組み込まれた第１拡大部を形成するとともに他端にスパナ口を有する第２拡大部を形成して把持部の両側に異径のねじに対応できる異種のねじ回し部を形成したものが知られているが、従来のこの種のレンチは、異径のねじに対応できるようにするための構造が複雑であるため、コスト高となるうえに重量も大きくなるなどの問題があった。
【０００３】
【発明が解決しようとする課題】
本発明が解決しようとするところは前記のような問題を解決し、把持部の両側に異径のねじに対応できる異種のねじ回し部を形成した軽量で安価なレンチを提供することにある。
【０００４】
【課題を解決するための手段】
前記の課題を解決した本発明のレンチは、細長板片の一端にアダプタ軸嵌合孔を有する第１拡大部が形成され他端にはスパナ口を有する第２拡大部が内向に傾斜された短い屈曲頸部を介して形成されている一対の片側部材と、断面形状が略Ｉ形でその上下端に形成されている滑り止め溝を備えた鍔部により片側部材の上下縁を隠蔽した状態としてこの片側部材間に介在されて前記した屈曲頸部とともに一端の第１拡大部間にアダプタ組込用空間を形成するスペーサとを、前記第２拡大部同志が当接され、且つ、前記アダプタ組込用空間には、歯車部の両端に前記アダプタ軸嵌合孔に軸支される支持軸部を介してねじ回し部を突出させたラチェット式アダプタとその回転方向を切替える操作爪片とが介入された状態として重ね合わせて複数の連結ピンにより連結して、両細長板片とその上下縁を滑り止め溝を備えた鍔部で隠蔽しているスペーサとよりなる把持部の両側に異種のねじ回し部を形成したことを特徴とするものを基本構成とする。そして、このようなレンチにおいて、一方の片側部材の第２拡大部に形成されているスパナ口と、他方の片側部材の第２拡大部に形成されているスパナ口との開口幅が同じであると、把持部の一側には１種のスパナ口しか形成できないので、両片側部材の第２拡大部に形成してあるスパナ口の開口幅が異なるものとして、把持部の一側に２種の開口幅が異なるスパナ口を形成したものを請求項２に係る発明とする。
【０００５】
【発明の実施の形態】
次に、本発明の好ましい実施の形態を図に基づいて詳細に説明する。
図１〜図４に示した第１の実施の形態において、１は長さが２０ｃｍ程度、厚さが４〜５ｍｍ、幅が２０ｍｍ程度の熱処理加工された機械構造用炭素鋼などよりなる一方の片側部材であって、この片側部材１には、その一端に外径が２５〜３０ｍｍでその略中央位置に孔径が１５ｍｍ程度のアダプタ嵌合孔１２を有する略円板形状の第１拡大部１３が連設されるとともに、他端には内向に傾斜された短い屈曲頸部１４を介して開口幅が１７ｍｍ程度のスパナ口１５を先端に備えた略六角形状の第２拡大部１６が連設されている。また、２は前記した一方の片側部材と対をなす他方の片側部材であって、この他方の片側部材２にもその一端に一方の片側部材１と同様のアダプタ嵌合孔２２を有する第１拡大部２３が形成されるとともに、他端には屈曲頸部２４を介してスパナ口２５を備えた第２拡大部２６が連設されているが、図示するものにおいて、他方の片側部材２が前記した一方の片側部材と相違する点は、第２拡大部２６に設けられているスパナ口２５の開口幅が１３ｍｍ程度と前記したスパナ口１５の開口幅とは異なったものとしている点にある。
【０００６】
３は前記した細長板片１１、２１間に介在させるポリプロピレン樹脂などの硬質合成樹脂その他の軽量材よりなるスペーサであって、このスペーサ３は長さが１０ｃｍ程度で、その両側面には前記細長板片１１、２１を介入させる凹溝３１、３１が形成されて上下端に鍔部を形成した断面形状が略Ｉ形の型材であって、この鍔部の上下面には多数の滑り止め溝３２が配設され、また、スペーサ３の側面所要部には複数の歪み防止用の凹部３３とピン挿入孔３４とが配設されている。４は一対の片側部材１、２とスペーサ３の３部材を連結する連結ピンであって、一対の片側部材１、２はその細長板片１１、２１をスペーサ３の側面の前記凹溝３１、３１に介入させて重ねることにより、前記した細長板片１１、２１の他端に屈曲頸部１４を介して形成されている第２拡大部１６、２６の内面同志を当接させるとともに、スペーサ３により細長板片１１、２１の一端の第１拡大部１３、２３間に形成されるアダプタ組込用空間に後記するラチェット式アダプタ５と、このラチェット式アダプタ５の回転方向を正逆に切替える操作爪片６とが組み込まれた状態とし、この重ねられた片側部材１、２とスペーサ３とを前記した連結ピン４により連結して、これにより両細長板片１１、２１とこの両細長板片１１、２１間にあって上下端に滑り止め溝３２を有する鍔部により細長板片１１、２１の上下縁が隠蔽された把持部の両側に異種のねじ回し部が形成されたレンチに組み立てられている。
【０００７】
なお、前記したラチェット式アダプタ５はクロムモリブデン鋼などの鋼材（例えば、日本工業規格のＳＣＭー４３５）よりなり、操作爪片６と係止される歯車部５１の両端に支持軸部５２、５３を介してソケットまたはソケット係脱用ボール５６を組み込んだ角形ドライブ、６角ビット、異径ソケットなどの任意のねじ回し部５４、５５を突出させたもので、このラチェット式アダプタ５と操作爪片６などには何等特徴はない。
【０００８】
一方、図４は本発明の第２の実施の形態を示すものであるが、前記した第１の実施の形態との相違点は、両片側部材１、２をＬ字状とした点であるから、前記したものと同じ番号を付して説明は省略する。
【０００９】
このように構成されたものは、両細長板片１１、２１間にスペーサ３を介在させて連結ピン４により強固に一体化されている把持部を把持して使用すれば、この把持部の両側には、第１拡大部１３、２３に組み込まれているラチェット式アダプタ５に形成されている２種のソケット式のねじ回し部と、第２拡大部１６、２６に形成されているスパナ口１５、２５とを有しているので、建物の配管工事などにおける吊りバンドや立てバンド、フランジ配管のような異径のねじが用いられる現場でのねじ締付作業の殆どはこのレンチを１本用意することにより的確容易に行なうことができ、このため、作業効率が高められることは勿論のこと、高所などでも安全に行なうことができることとなるが、特に、本発明に係るレンチは、同形または殆ど同形の板状の片側部材１、２と、スペーサ３との３部材にラチェット式アダプタ５と操作爪片６とを組み込んで連結ピン４により連結した極めて単純な構成とされているので、異径のねじに対応できるような複雑な構造とした従来のものに比べて著しくコストを低減でき、特に、一方の片側部材１の第２拡大部１６に形成されているスパナ口１５と、他方の片側部材２の第２拡大部２６に形成されているスパナ口２５との口径を異ならせたものはその効果が一層顕著となる。しかも、スペーサ３を合成樹脂などの軽量材としたり歪み防止用の凹部３３を設けたものとすることにより軽量化が可能となり、この軽量化によってより取扱も容易となって作業性が向上する利点もある。また、スペーサをその両側面に凹溝が形成されて上下端を短い鍔部とした断面形状が略Ｉ形の型材とし、このスペーサの凹溝に片側部材の細長板片を介入させてスペーサの上下端の鍔部により細長板片の上下縁が隠蔽された把持部としたものは握り心地がよいものとなる。
【００１０】
【発明の効果】
本発明は前記説明によって明かなように、把持部の両側に異径のねじに対応できる異種のねじ回し部を形成した軽量で安価なレンチとして業界の発展に寄与するところ極めて大なものである。
【図面の簡単な説明】
【図１】本発明の第１の実施の形態を分解して示す斜視図である。
【図２】本発明の第１の実施の形態を示す断面図である。
【図３】本発明の第１の実施の形態を示す正面図である。
【図４】本発明の第２の実施の形態を示す正面図である。
【符号の説明】
１  一方の片側部材
２  他方の片側部材
３  スペーサ
４  連結ピン
５  ラチェット式アダプタ
６  操作爪片
11  細長板片
12  アダプタ軸嵌合孔
13  第１拡大部
14 屈曲頸部
15  スパナ口
16  第２拡大部
21  細長板片
22  アダプタ軸嵌合孔
23  第１拡大部
24 屈曲頸部
25  スパナ口
26  第２拡大部
32 滑り止め溝
51 歯車部
52 支持軸部
53 支持軸部
54 ねじ回し部
55 ねじ回し部
【図１】
0004293571.tif 000002
【図２】
0004293571.tif 000003
【図３】
0004293571.tif 000004
【図４】
0004293571.tif 000005